(57)【要約】【課題】筐体の表面からスイッチカバーが突出せず、外観が良好な電子機器のスイッチカバーを提供する。【解決手段】カバー５の操作用開口部５ａの裏面にスイッチカバー８が嵌まるための空間をスペーサ９とパネル１０とで形成する。スペーサ９はスイッチカバー８の板厚以上の厚みを有する板材でカバー５の操作用開口部５ａと略同一形状の開口部９ａを形成し、開口部９ａの対向する２辺の両端に嵌合凹部９ｂを形成しており、パネル１０はスイッチ６やＬＥＤ７等を臨ませるための窓孔１０ａを形成している。スペーサ９とパネル１０とはカバー５の裏面に垂設された溶接ボルト５ｃに挿通してナット１１で螺着固定される。スイッチカバー８は合成樹脂によりスペーサ９に嵌まる形状に形成し、弾性変形させてスイッチカバー８の嵌合凸部８ｂをスペーサ９の嵌合凹部９ｂに嵌合させて着脱可能に取り付ける。【選択図】        図１
2004228237.tif 000002
【特許請求の範囲】
【請求項１】
金属製の筐体に形成された開口部内に各種スイッチが操作可能に配設された電子機器の前記開口部を閉塞するためのスイッチカバーにおいて、該スイッチカバーの板厚以上の厚みを有する板状部材に前記筐体の開口部と略同一形状の開口部を形成し、該開口部の対向する２辺を切り欠いて嵌合凹部を形成したスペーサを前記筐体の裏面に双方の開口部が一致するように配置し、前記スイッチを臨ませる窓孔を形成したパネルを前記スペーサの下面に当接させて配置し、前記スペーサと前記パネルとを固定手段により前記筐体に固定し、前記スペーサの開口部の形状と略同一に形成した前記スイッチカバーを弾性変形させて前記筐体の開口部に着脱可能にしたことを特徴とする電子機器のスイッチカバー。
【発明の詳細な説明】
【０００１】
【発明の属する技術分野】
本発明は、金属製の筐体に形成された開口部内に各種スイッチが操作可能に配設された電子機器の開口部を閉塞するためのスイッチカバーの取り付け構造に関する。
【０００２】
【従来の技術】
従来、金属製の筐体に形成された開口部内に各種スイッチが操作可能に配設された電子機器において、開口部を閉塞するためのスイッチカバーは、一辺側を開口部の端部に開閉自在に蝶着し、他辺側の略中央部分をローレットネジで筐体に螺着して固定していた（非特許文献１参照。）。
【０００３】
【非特許文献１】
“ノイズシミュレータ”、ノイズ研究所、１９９８年９月、ｐ．６−７
【０００４】
【発明が解決しようとする課題】
しかしながら、従来の電子機器のスイッチカバーは蝶番部やローレットネジを含めて筐体の表面から突出するため、見栄えが悪いという欠点があった。
【０００５】
そこで上記問題点に鑑み、本発明の目的は、筐体の表面からスイッチカバーが突出せず、外観が良好な電子機器のスイッチカバーを提供することである。
【０００６】
【課題を解決するための手段】
上記目的を達成するために、金属製の筐体に形成された開口部内に各種スイッチが操作可能に配設された電子機器の開口部を閉塞するためのスイッチカバーにおいて、スイッチカバーの板厚以上の厚みを有する板状部材に筐体の開口部と略同一形状の開口部を形成し、開口部の対向する２辺を切り欠いて嵌合凹部を形成したスペーサを筐体の裏面に双方の開口部が一致するように配置し、スイッチを臨ませる窓孔を形成したパネルをスペーサの下面に当接させて配置し、スペーサとパネルとを固定手段により筐体に固定し、スペーサの開口部の形状と略同一に形成したスイッチカバーを弾性変形させて筐体の開口部に着脱可能にしたことを特徴とする。
【０００７】
【発明の実施の形態】
筐体を構成するカバーの操作用開口部の裏面にスイッチカバーが嵌まるための空間をスペーサとパネルとで形成する。スペーサはスイッチカバーの板厚以上の厚みを有する板材でカバーの操作用開口部と略同一形状の開口部を形成し、開口部の対向する２辺の両端に嵌合凹部を形成しており、パネルはスイッチやＬＥＤ等を臨ませるための窓孔を形成している。スペーサとパネルとはカバーの裏面に垂設された溶接ボルトに挿通してナットで螺着固定される。スイッチカバーは合成樹脂によりスペーサに嵌まる形状に形成し、弾性変形させてスイッチカバーの嵌合凸部をスペーサの嵌合凹部に嵌合させて着脱可能に取り付ける。
【０００８】
【実施例】
本発明に係る電子機器のスイッチカバーの一実施例を図１〜図３の添付図面に基づいて説明する。
【０００９】
電子機器１は、底板２ａ上にプリント基板３や外部配線を結線するための端子台４等を搭載して左右側板２ｂを有するベース２と、ベース２の前後面と上面の開放部分を覆うカバー５とで筐体を形成し、この筐体は金属板材により形成している。プリント基板３の上面には各種操作をするための複数のスイッチ６や表示用のＬＥＤ７等が取り付けられ、カバー５の上面にはこれらを臨ませる操作用開口部５ａが形成され、カバー５の上面から前面へ連続する部分には端子台４を臨ませる端子用開口部５ｂが形成されている。
【００１０】
カバー５の操作用開口部５ａはスイッチカバー８を着脱可能に取り付けるために操作用開口部５ａにはスペーサ９とパネル１０が取り付けられる。スペーサ９はスイッチカバー８の板厚以上の厚みを有する金属板材でカバー５の操作用開口部５ａより大きい寸法に形成され、更にカバー５の操作用開口部５ａに一致させて配置するために略同一形状の開口部９ａを形成している。また、開口部９ａの短手方向の対向する２辺の両端が切り欠かれて嵌合凹部９ｂが形成されている。パネル１０はスペーサ９の下面に配置するために外形寸法がスペーサ９と略同一寸法に金属板材で形成され、スイッチ６やＬＥＤ７等を臨ませる窓孔１０ａが形成されている。窓孔１０ａの近傍には図示しないがスイッチ６やＬＥＤ７等の説明が印刷されて表示されている。
【００１１】
カバー５の操作用開口部５ａの裏面の周縁近傍には複数の溶接ボルト５ｃが下方に向けて垂設されている。スペーサ９とパネル１０はこの溶接ボルト５ｃと対向する位置にボルト挿通孔９ｃ，１０ｃが穿設され、まず、カバー５の裏側から溶接ボルト５ｃにスペーサ９のボルト挿通孔９ｃを挿通させ、それから溶接ボルト５ｃにパネル１０のボルト挿通孔１０ｃを挿通させ、溶接ボルト５ｃにナット１１を螺合してスペーサ９とパネル１０を固定し、スイッチカバー８が嵌め込まれる空間が形成される。
【００１２】
こうして形成されたカバー５は前面と背面から複数の取付ネジ１２によってベース２に螺着固定される。
【００１３】
スイッチカバー８は透光性を有するように合成樹脂等によってスペーサ９の開口部９ａに嵌まる程度に略同一形状に形成され、スペーサ９の嵌合凹部９ｂと対応する位置には嵌合凸部８ｂが形成されている。また、スイッチカバー８は長手方向の両端縁の略中央部に切欠８ａが形成されている。
【００１４】
スイッチカバー８をカバー５の操作用開口部５ａに取り付けるには、スイッチカバー８の一方側の嵌合凸部８ｂをスペーサ９の一方側の嵌合凹部９ｂに嵌合させ、スイッチカバー８を撓ませて他方側の嵌合凸部８ｂをスペーサ９の他方側の嵌合凹部９ｂに嵌合させることにより行う。また、スイッチカバー８をカバー５の操作用開口部５ａから取り外すには、スイッチカバー８の長手方向全体を撓ませるように摘み上げることにより、スペーサ９の嵌合凹部９ｂからスイッチカバー８の嵌合凸部８ｂが外れ、取り外すことができる。取り外しにくい場合は、一方の切欠８ａにドライバー等を差し込み、こじって少し持ち上げてから指で摘んで持ち上げることにより取り外すことができる。
【００１５】
尚、本実施例においてスペーサの嵌合凹部及びスイッチカバーの嵌合凸部の形状と形成箇所について限定はないし、また、スペーサとパネルをカバーの裏面に取り付ける構造について、例えば溶接して取り付けても良く限定はない。また、筐体の形状及び構造についても限定はなく、形状及び構造について本発明の趣旨を逸脱しない範囲で適宜変更可能である。
【００１６】
【発明の効果】
以上説明したように金属製の筐体に形成された開口部内に各種スイッチが操作可能に配設された電子機器の開口部を閉塞するためのスイッチカバーにおいて、スイッチカバーの板厚以上の厚みを有する板状部材に筐体の開口部と略同一形状の開口部を形成し、開口部の対向する２辺を切り欠いて嵌合凹部を形成したスペーサを筐体の裏面に双方の開口部が一致するように配置し、スイッチを臨ませる窓孔を形成したパネルをスペーサの下面に当接させて配置し、スペーサとパネルとを固定手段により筐体に固定し、スペーサの開口部の形状と略同一に形成したスイッチカバーを弾性変形させて筐体の開口部に着脱可能にしたことにより、筐体の表面からスイッチカバーが突出せず、見栄えが良い。また、パネルがカバーと別体に形成されるので機種によってスイッチやＬＥＤ等の配置や形状が異なる場合でも容易で安価に変更することができ、スイッチ等の説明を表示するための印刷の作業性も向上させることができるという効果がある。
【図面の簡単な説明】
【図１】本発明に係る電子機器の分解斜視図である。
【図２】本発明に係る電子機器の操作用開口部にスイッチカバーを取り付ける様子を示す斜視図である。
【図３】本発明に係る電子機器の操作用開口部にスイッチカバーを取り付けた状態を示す斜視図である。
【符号の説明】
１…電子機器
２…ベース
２ａ…底板
２ｂ…左右側板
３…プリント基板
４…端子台
５…カバー
５ａ…操作用開口部
５ｂ…端子用開口部
５ｃ…溶接ボルト
６…スイッチ
７…ＬＥＤ
８…スイッチカバー
８ａ…切欠
８ｂ…嵌合凸部
９…スペーサ
９ａ…開口部
９ｂ…嵌合凹部
９ｃ…ボルト挿通孔
１０…パネル
１０ａ…窓孔
１０ｃ…ボルト挿通孔
１１…ナット
１２…取付ネジ
【図１】
2004228237.tif 000003
【図２】
2004228237.tif 000004
【図３】
2004228237.tif 000005